(57)【要約】      （修正有）【課題】インターホンの玄関子機において、広角のカメラのカバーであってもLEDからの光が写り込むことがなく、また、来訪者の照射を確実におこなうことができるインターホンの玄関子機を提供する。【解決手段】来訪者が居住者を呼び出すために操作する玄関子機と、玄関子機からの呼び出しを報知し、それを確認した居住者が来訪者と通話するための居室親機とから構成され、玄関子機は、来訪者を撮像するためのカメラ及び、カメラを保護するためのカメラカバーからなるカメラ部と、カメラ部の近傍に、当該玄関子機が取り付けられた周辺の照度が低い場合に来訪者を照射するためのLED及びLEDブラケットからなる照明部とを備え、LEDブラケットの前面が玄関子機を構成するケース上よりも低い位置に取り付けられるよう四方に壁面を有する収容部を有する。【選択図】図２
2011077771.tif 000002
【特許請求の範囲】
【請求項１】
来訪者が居住者を呼び出すために操作する玄関子機と、前記玄関子機からの呼び出しを報知し、それを確認した前記居住者が前記来訪者と通話するための居室親機とから構成され、
前記玄関子機は、前記来訪者を撮像するためのカメラ及び、カメラを保護するためのカメラカバーからなるカメラ部と、前記カメラ部の近傍に、当該玄関子機が取り付けられた周辺の照度が低い場合に前記来訪者を照射するためのLED及びLEDブラケットからなる照明部とを備え、
前記LEDブラケットの前面が前記玄関子機を構成するケース上よりも低い位置に取り付けられるよう四方に壁面を有する収容部を有することを特徴とするインターホンの玄関子機。
【請求項２】
前記収容部の壁面のうち、前記カメラ部側の壁面は前記LEDブラケットとの間で形成される角度が直角であって、他の壁面は鈍角で構成したことを特徴とする請求項１記載のインターホンの玄関子機。
【請求項３】
前記カメラカバーは、前記ケース上前面部よりも突出した略ドーム形状で構成されており、
前記他の壁面のうち、前記カメラ部側の壁面に対抗する位置にある壁面は、前記LEDが照射した光が当該前記収容部の他の壁面で反射し、反射光が前記カメラカバーに入射しないように、前記カメラカバーと前記カメラ部側の壁面の頂点を結ぶ接線に対する垂線より大きい角度とすることを特徴とする請求項１又は２記載何れか記載のインターホンの玄関子機。
【請求項４】
前記カメラカバーは、前記ケース上前面部よりも突出した略ドーム形状で構成されており、
前記LEDブラケットの収容部の深さは、前記カメラカバーと前記カメラ部側の壁面の頂点を結ぶ接線に接触しない位置となる深さとし、前記LEDからの直接光が前記カメラカバーに入射しないことを特徴とする請求項１乃至請求項３何れか1項記載のインターホンの玄関子機。
【発明の詳細な説明】
【技術分野】
【０００１】
本発明はインターホンの玄関子機に係り、特に、来訪者を撮像するカメラ部の近傍に取り付けられ、周辺の照度が低い場合に前記来訪者を照射するためのLEDからの光が、広角カメラのレンズ（カメラカバー）に入射させない構造を有するインターホンの玄関子機に関する。
【背景技術】
【０００２】
従来から、この種のインターホンの玄関子機として、カメラを有する玄関子機であって、来訪者を撮像するカメラの側方に配置した赤外照明用の赤外発光素子から発光された光が、カメラ前面にあるカメラカバーに反射し、カメラのレンズに入射しないようにするためのリブを設けた構造を有するものがあった（例えば、特許文献１）。
【０００３】
このような構造によれば、赤外発光素子から発光された光が、レンズに入射することがないので写り込みがなく、良好な映像を出画させることが可能となる。
【先行技術文献】
【特許文献】
【０００４】
【特許文献１】特開昭６３−１２６３８２号公報
【発明の開示】
【発明が解決しようとする課題】
【０００５】
しかしながら、従来例のインターホンの玄関子機において、広角カメラを用いられていない。広角カメラの場合、カメラカバーを略ドーム形状としなければならないため、同一の構造ではリブの配置及び、その構造が複雑となってしまう虞がある。そのため、発光素子（LED）は、カメラ部から離間した位置に配置する必要があり、新たに発光素子からの光がカメラカバーに入射しない構造が必要となった。
【０００６】
本発明は、上述の難点を解消するためになされたもので、広角のカメラのカバーであってもLEDからの光が写り込むことがなく、また、来訪者の照射を確実におこなうことができるインターホンの玄関子機を提供することを目的とする。
【課題を解決するための手段】
【０００７】
上述の目的を達成するため、本発明の請求項１におけるインターホンの玄関子機は、来訪者が居住者を呼び出すために操作する玄関子機と、玄関子機からの呼び出しを報知し、それを確認した居住者が来訪者と通話するための居室親機とから構成され、玄関子機は、来訪者を撮像するためのカメラ及び、カメラを保護するためのカメラカバーからなるカメラ部と、カメラ部の近傍に、当該玄関子機が取り付けられた周辺の照度が低い場合に来訪者を照射するためのLED及びLEDブラケットからなる照明部とを備え、LEDブラケットの前面が玄関子機を構成するケース上よりも低い位置に取り付けられるよう四方に壁面を有する収容部を有することを特徴とする。
【０００８】
また、本発明の請求項２におけるインターホンの玄関子機は、請求項１において、収容部の壁面のうち、カメラ部側の壁面はLEDブラケットとの間で形成される角度が直角であって、他の壁面は鈍角で構成したことを特徴とする。
【０００９】
また、本発明の請求項３におけるインターホンの玄関子機は、請求項１又は請求項２において、カメラカバーは、ケース上前面部よりも突出した略ドーム形状で構成されており、他の壁面のうち、カメラ部側の壁面に対抗する位置にある壁面は、LEDが照射した光が当該収容部の他の壁面で反射し、反射光がカメラカバーに入射しないように、カメラカバーとカメラ部側の壁面の頂点を結ぶ接線に対する垂線より大きい角度とすることを特徴とする。
【００１０】
また、本発明の請求項４におけるインターホンの玄関子機は、請求項１乃至請求項３の何れかにおいて、カメラカバーは、ケース上前面部よりも突出した略ドーム形状で構成されており、LEDブラケットの収容部の深さは、カメラカバーとカメラ部側の壁面の頂点を結ぶ接線に接触しない位置となる深さとし、LEDからの直接光がカメラカバーに入射しないことを特徴とする。
【発明の効果】
【００１１】
請求項１のインターホンの玄関子機によれば、LEDブラケットを介して照射されたLEDの光のうち直接光、反射光双方とも広角カメラのカバーに入射することを防ぎ、良好な映像を提供することができる。
【００１２】
請求項２のインターホンの玄関子機によれば、LEDブラケットが収容される収容部の壁面のうち、カメラ部側の壁面を直角とし、その他の壁面は鈍角で構成することにより、LEDブラケットを介して照射されたLEDの光が広角カメラのカバーに照射されることなく、また、光を拡散させることができ、来訪者を確実に照らすことができる。
【００１３】
請求項３のインターホンの玄関子機によれば、LEDブラケットを介して照射されたLEDの光のうちLEDブラケットが収容される収容部壁面により反射された反射光がカメラカバーに照射されることがなく、良好な映像を提供することができる。
【００１４】
請求項４のインターホンの玄関子機によれば、LEDブラケットを介して照射されたLEDの光のうち直接光がカメラカバーに照射されることがなく、良好な映像を提供することができる。
【発明を実施するための最良の形態】
【００１５】
以下、本発明のインターホンの玄関子機を適用した好ましい形態の実施例について、図面を参照して説明する。
【００１６】
図１は、本発明のインターホンの玄関子機の斜視図である。
【００１７】
図１に示すインターホンの玄関子機１は、来訪者を撮像するカメラ部（カメラ２及びカメラカバー２１）、居住者と通話するためのマイク３、スピーカ４、来訪者が居住者を呼び出す場合に操作する呼出ボタン５、呼出時に来訪者を照射する照射部（LEDブラケット６、LED６１）から構成されている。また、玄関子機１は、ケース上１１（化粧パネル１１ａ）、ケース下１２（図２（ａ）参照）を嵌合して構成している。
【００１８】
図２（ａ）は、玄関子機の断面図である。図２（ｂ）は図２（ａ）の部分拡大図である。図２（ａ）、（ｂ）に示すように、カメラ２をカバーするカメラカバー２１は略ドーム形状となっており、ケース上１１（化粧パネル１１ａ）よりも前面に突出している。
【００１９】
図２（ｃ）は、図２（ｂ）の一部をさらに拡大した図である。図２（ｂ）（ｃ）に示すように、LED６１の前面にあるLEDブラケット６は、ケース上１１（化粧パネル１１ａ）よりも下部に配置され、具体的にはケース上１１（化粧パネル１１ａ）からHの深さを有している。当該深さＨは、カメラカバー２１とLEDブラケット６の収容部の壁面のうちカメラ部側の壁面S1の頂点を結ぶ接線L1に接触しない位置となる深さとしている。
【００２０】
また、LEDブラケット６の収容部のうち、カメラ部側の壁面S1とLEDブラケット６との間で形成される角度が直角であって、他の壁面S2は鈍角で構成している。これにより、カメラカバー２１には、LED６１からの光が照射されにくく、玄関子機の前面にいる来訪者を確実に照射することができ、良好な映像を得ることが可能となる。
【００２１】
なお、カメラ部側の壁面S1は、直角に限られず、上述のようにカメラカバー２１とLEDブラケット６の収容部の壁面のうちカメラ部側の壁面S1の頂点を結ぶ接線L1に接触しない位置となる深さHを有していればよい（図３の要部断面図参照）。
また、他の壁面S2のうち、カメラ部側の壁面に対抗する位置にある壁面S2’は、LEDブラケット６との間で形成される角度が鈍角θで形成されている。そして、確実にLED６１が照射した光が反射し、反射光がカメラカバー２１に入射しないようにするため、カメラカバー２１とカメラ部側の壁面S1の頂点を結ぶ接線L1に対する垂線L2より大きい角度θ’（θ’＝θ−90°）としている。
【００２２】
このように構成されたインターホンの玄関子機１において、来訪者が居住者を呼び出すために呼出ボタン５を操作すると、呼出確認音が、スピーカ４から報音される。また、これと同時に、インターホンの居室親機（図示せず）から供給された電源によって、カメラ２が駆動すると共にLED６１が来訪者を照射する。
【００２３】
LED６１が照射した光はLEDブラケット６を介して来訪者を照射することになる。このとき直接光としてカメラカバー２１側方向への光は、深さHを有する壁面にて反射するため光がカメラカバー２１に映りこむことがない。
【００２４】
また、他の壁面S2(S2’)で反射した光は、壁面が鈍角である角度θをもつことにより、カメラカバー２１の頂点に影響することがなく来訪者を広範囲にわたって照射することができる。また、カメラ部側の壁面S1に対抗する位置にある壁面S2’は、特にカメラカバー２１とカメラ部側の壁面S1の頂点を結ぶ接線L1に対する垂線L2より大きい角度θ’（θ’＝θ−90°）としているため、反射光がカメラカバー２１に入射することがなく、良好な映像を得ることができる。
【００２５】
この映像を確認した居住者が、応答することで来訪者の映像を確認しながら通話を行うことができる。
【図面の簡単な説明】
【００２６】
【図１】本発明の実施例によるインターホンの玄関子機を示す斜視図である。
【図２】（ａ）は本発明の実施例によるインターホンの玄関子機の断面図である。（ｂ）は、（ａ）の部分拡大図であり、（ｃ）は（ｂ）の部分拡大図である。
【図３】本発明の他の実施例によるインターホンの玄関子機の要部断面図である。
【符号の説明】
【００２７】
１・・・              玄関子機
１１・・・       ケース上
１２・・・    ケース下
２・・・              カメラ
２１・・・    カメラカバー
３・・・              マイク
４・・・              スピーカ
５・・・              呼出ボタン
６・・・              照明部（LEDブラケット）
６１・・・       LED
L1・・・             接線
L2・・・             垂線
H・・・               深さ
θ・・・              角度
【図１】
2011077771.tif 000003
【図２】
2011077771.tif 000004
【図３】
2011077771.tif 000005